(57)【特許請求の範囲】
【請求項１】
自動二輪車の後部に設けられたリアフェンダ構造体であって、
前記自動二輪車の後輪をその上方から後方にかけて覆うリアフェンダと、
前記リアフェンダの後端部上段に形成され、内部にリアコンビネーションランプを収容するリアコンビネーションランプ収容空間を有するリアコンビネーションランプ取付部と、
前記リアフェンダの後端部下段に形成され、内部にライセンスランプを収容するライセンスランプ収容空間を有するライセンスランプ取付部と、
前記ライセンスランプ取付部の一方の側部に形成され、前記自動二輪車のシートのロックを解除するためのキーシリンダを取り付けるキーシリンダ取付部とを備え、
前記キーシリンダ取付部は、平坦な外面を有する支持板部と、当該支持板部に穿設された装着孔とを有し、前記キーシリンダは自身を前記装着穴に挿入することにより、前記キーシリンダの軸方向一側が前記支持板部の外面側に位置し、前記キーシリンダの軸方向他側が前記ライセンスランプ収容空間内に位置するように、前記キーシリンダ取付部に取り付けられ、
前記リアフェンダは、前記後輪の前方側を覆うリアフェンダフロントと、前記後輪の後方側を覆い、前記リアコンビネーションランプ取付部、前記ライセンスランプ取付部および前記キーシリンダ取付部が形成されたリアフェンダリアとを組み合わせることにより形成され、
前記リアフェンダフロントの後端側には、前記ライセンスランプ収容空間内まで延び、前記キーシリンダ取付部に取り付けられた前記キーシリンダの軸方向他側を覆うカバー部が形成されていることを特徴とするリアフェンダ構造体。
【請求項２】
前記カバー部は、前記キーシリンダ取付部に取り付けられた前記キーシリンダの軸方向他側から前記リアコンビネーションランプ収容空間の下方にかけての領域を覆うように延在していることを特徴とする請求項１に記載のリアフェンダ構造体。
【請求項３】
前記カバー部には、前記ライセンスランプ収容空間を外部と連通させ、前記ライセンスランプ取付部に取り付けられたライセンスランプバルブの着脱を可能にする開口部が形成されていることを特徴とする請求項２に記載のリアフェンダ構造体。
【請求項４】
前記カバー部は、前記キーシリンダ取付部に取り付けられた前記キーシリンダの軸方向他端側を覆う第1の遮蔽板部と、前記リアコンビネーションランプ収容空間の下方を覆う第２の遮蔽板部とを備え、前記第２の遮蔽板部には、当該第２の遮蔽板部の一部を切除することにより、前記開口部の開口面積を拡大させる切除部が形成されていることを特徴とする請求項３に記載のリアフェンダ構造体。
【請求項５】
前記カバー部には、前記キーシリンダを前記キーシリンダ取付部の前記装着孔周りに固定する固定部材の移動を規制する規制部が設けられていることを特徴とする請求項１ないし４のいずれかに記載のリアフェンダ構造体。
【発明の詳細な説明】
【技術分野】
【０００１】
本発明は、自動二輪車のリアフェンダを構成するリアフェンダ構造体に関する。
【背景技術】
【０００２】
自動二輪車の多くは、シートのロックないしロック解錠用の錠装置であるシートロックキーシリンダを備えている。シートロックキーシリンダは、シートを車体フレーム側に掛け止めするロック機構に連結部材等を介して連結されているので、シートの近傍に配置される場合が多い（特許文献１の図１中のシートロック装置１１、特許文献２の図１中の回転錠３１、特許文献３の図９中のシートロックキーシリンダ１５１等参照）
【先行技術文献】
【特許文献】
【０００３】
【特許文献１】特開平０９−１９３８６３号公報
【特許文献２】特開２００２−２３５４７４号公報
【特許文献３】特開２０１０−１７９７０３号公報
【発明の概要】
【発明が解決しようとする課題】
【０００４】
ところで、シートロックキーシリンダを自動二輪車に配置するに当たり、次のような問題がある。
【０００５】
例えば、自動二輪車には、シートの下方に位置し、車体フレームをその側方から覆うフレームカバーや、自動二輪車の後輪をその上方から後方にかけて覆うリアフェンダが設けられている。フレームカバーやリアフェンダは、シートの近傍であって、利用者が容易に手を触れることできる位置に配置されているので、シートロックキーシリンダを配置する場所として好適である。
【０００６】
利用者がシートのロックを解除する際におけるキー操作の操作性を考慮すると、シートロックキーシリンダは、その回動軸が水平となるように配置することが望ましい。そこで、シートロックキーシリンダを、その回動軸が水平となるようにフレームカバーまたはリアフェンダに配置することが望まれる。
【０００７】
しかしながら、フレームカバーの外面は、自動二輪車の後部の外観を良くする等のために湾曲した形状を有している。このため、シートロックキーシリンダをその回動軸が水平となるようにフレームカバーに配置することは容易でない。また、フレームカバーの一部に、水平面に対し垂直な方向に拡がる座面を形成し、この座面にシートロックキーシリンダを取り付けることで、回動軸が水平となるようにシートロックキーシリンダを配置することができるが、この場合には、フレームカバーにおいて、座面を形成した部分が、その周辺部分よりも突出または陥没してしまい、この結果、自動二輪車の後部の外観が損なわれてしまうおそれがある。
【０００８】
また、リアフェンダの外面も、自動二輪車の後部の外観を良くする等のために、フレームカバーとの境界部分等において湾曲している。このため、例えば特許文献３に記載されているように、リアフェンダのこのような湾曲した部分にシートロックキーシリンダを配置することは、フレームカバーにシートロックキーシリンダを配置する場合とほぼ同様に容易でなく、また配置した結果、自動二輪車の後部の外観が損なわれるおそれがある。
【０００９】
また、シートロックキーシリンダを保護するカバーに関して次のような問題がある。
【００１０】
すなわち、シートロックキーシリンダを例えばリアフェンダに取り付けた場合、キーの差込口が形成されたシートロックキーシリンダの一端側がリアフェンダの外面内または外面上に配置され、一方、シートロックキーシリンダの回動をシートのロック機構に伝達するための連結部材等が接続されたシートロックキーシリンダの他端側がリアフェンダの内部側に配置される。悪戯防止や窃盗防止等、自動二輪車の防犯性を確保するためには、シートロックキーシリンダの他端側をカバーで覆い、シートロックキーシリンダの他端側に外部から手を触れることができないようにすることが望ましい。
【００１１】
シートロックキーシリンダの他端側をカバーで覆う構成としてまず考えられるのは、シートロックキーシリンダの他端側を覆うための専用のカバーをリアフェンダに取り付ける構成である。しかし、この構成では、専用のカバーを別途設ける必要があり、部品点数が増加してしまう。
【００１２】
シートロックキーシリンダの他端側をカバーで覆う構成として次に考えられるのは、特許文献３に記載されているように、リアフェンダに設けられたライセンスランプを覆うカバーで、シートロックキーシリンダの他端側もいっしょに覆ってしまう構成である。しかし、この構成には次のような不都合がある。すなわち、当該カバーを取り外し不能にすると、シートロックキーシリンダの他端側に外部から手を触れることを確実に防止して防犯性を高めることができるものの、ライセンスランプバルブの交換の作業性が悪くなってしまう。一方、当該カバーを取り外し可能にすると、ライセンスランプバルブの交換の作業性が良くなるものの、当該カバーを取り外すことによりシートロックキーシリンダの他端側に外部から手を触れることができてしまい、防犯性が低下してしまう。
【００１３】
本発明は例えば上述したような問題に鑑みなされたものであり、本発明の第１の課題は、シートロック解除用のキーシリンダを、自動二輪車後部の外観を損なうことなく容易に配置することができるリアフェンダ構造体を提供することにある。
【００１４】
また、本発明の第２の課題は、ライセンスランプバルブの交換の作業性を損なうことなく、シートロック解除用のキーシリンダに対する悪戯やシートロックの不正解除等を防止して自動二輪車の防犯性を高めることができるリアフェンダ構造体を提供することにある。
【課題を解決するための手段】
【００１５】
上記課題を解決するために、本発明の第1のリアフェンダ構造体は、自動二輪車の後部に設けられたリアフェンダ構造体であって、前記自動二輪車の後輪を上方から後方にかけて覆うリアフェンダと、前記リアフェンダの後端部上段に形成され、内部にリアコンビネーションランプを収容するリアコンビネーションランプ収容空間を有するリアコンビネーションランプ取付部と、前記リアフェンダの後端部下段に形成され、内部にライセンスランプを収容するライセンスランプ収容空間を有するライセンスランプ取付部と、前記ライセンスランプ取付部の一方の側部に形成され、前記自動二輪車のシートのロックを解除するためのキーシリンダを取り付けるキーシリンダ取付部とを備え、前記キーシリンダ取付部は、平坦な外面を有する支持板部と、当該支持板部に穿設された装着孔とを有し、前記キーシリンダは自身を前記装着穴に挿入することにより、前記キーシリンダの軸方向一側が前記支持板部の外面側に位置し、前記キーシリンダの軸方向他側が前記ライセンスランプ収容空間内に位置するように、前記キーシリンダ取付部に取り付けられることを特徴とする。
【００１６】
本発明の第１のリアフェンダ構造体によれば、リアフェンダの後端部に形成されたライセンスランプ取付部の一方の側部に、平坦な外面を有するキーシリンダ取付部を形成することで、キーシリンダを、その回動軸が水平となるように容易に配置することができる。
【００１７】
また、ライセンスランプ取付部の一方の側部は、リアフェンダの後端部に位置するため、ライセンスランプ取付部の一方の側部の形状が自動二輪車後部の外観形成に与える影響は少ない。したがって、ライセンスランプ取付部の一方の側部に、平坦な外面を有するキーシリンダ取付部を形成しても、自動二輪車後部の外観を損なうことがない。そして、平坦な外面を有するキーシリンダ取付部にキーシリンダを取り付けるので、リアフェンダが部分的に突出または陥没することがなく、これにより自動二輪車後部の外観を高めることができる。
【００１８】
また、本発明の第1のリアフェンダ構造体において、前記リアフェンダは、前記後輪の前方側を覆うリアフェンダフロントと、前記後輪の後方側を覆い、前記リアコンビネーションランプ取付部、前記ライセンスランプ取付部および前記キーシリンダ取付部が形成されたリアフェンダリアとを組み合わせることにより形成され、前記リアフェンダフロントの後端側には、前記ライセンスランプ収容空間内まで延び、前記キーシリンダ取付部に取り付けられた前記キーシリンダの軸方向他側を覆うカバー部が形成されていることを特徴とする。
【００１９】
このような構成によれば、キーシリンダの軸方向他側を覆うカバー部をリアフェンダフロントに一体的に形成することにより、キーシリンダの軸方向他側を覆う専用のカバーを別途設ける必要がない。これにより、部品点数を削減することができる。
【００２０】
上記課題を解決するために、本発明の第２のリアフェンダ構造体は、上述した本発明の第１のリアフェンダ構造体において、前記カバー部は、前記キーシリンダ取付部に取り付けられた前記キーシリンダの軸方向他側から前記リアコンビネーションランプ収容空間の下方にかけての領域を覆うように延在していることを特徴とする。
【００２１】
本発明の第２のリアフェンダ構造体によれば、キーシリンダの軸方向他側を覆う構成と、リアコンビネーションランプ収容空間を下方から遮蔽する構成とを単一のカバー部により同時に実現することができ、部品点数の削減、組付作業性の向上を図ることができる。
【００２２】
上記課題を解決するために、本発明の第３のリアフェンダ構造体は、上述した本発明の第２のリアフェンダ構造体において、前記カバー部には、前記ライセンスランプ収容空間を外部と連通させ、前記ライセンスランプ取付部に取り付けられたライセンスランプバルブの着脱を可能にする開口部が形成されていることを特徴とする。
【００２３】
本発明の第３のリアフェンダ構造体によれば、キーシリンダの軸方向他側を覆いつつ、ライセンスランプバルブの交換の良好な作業性を確保することができる。
【００２４】
上記課題を解決するために、本発明の第４のリアフェンダ構造体は、上述した本発明の第３のリアフェンダ構造体において、前記カバー部は、前記キーシリンダ取付部に取り付けられた前記キーシリンダの軸方向他側を覆う第1の遮蔽板部と、前記リアコンビネーションランプ収容空間の下方を覆う第２の遮蔽板部とを備え、前記第２の遮蔽板部には、当該第２の遮蔽板部の一部を切除することにより、前記開口部の開口面積を拡大させる切除部が形成されていることを特徴とする。
【００２５】
本発明の第４のリアフェンダ構造体によれば、キーシリンダの軸方向他側を覆いつつ、ライセンスランプバルブの交換のより一層良好な作業性を確保することができる。
【００２６】
上記課題を解決するために、本発明の第５のリアフェンダ構造体は、上述した本発明の第１ないし第４のリアフェンダ構造体において、前記カバー部には、前記キーシリンダを前記キーシリンダ取付部の前記装着孔周りに固定する固定部材の移動を規制する規制部が設けられていることを特徴とする。
【００２７】
本発明の第５のリアフェンダ構造体によれば、規制部により固定部材の移動が規制されるので、固定部材の取外が困難となり、悪戯やシートロックの不正解錠の目的で、キーシリンダがリアフェンダから取り外されることを防止することができる。
【発明の効果】
【００２８】
本発明によれば、シートロック解除用のキーシリンダを、自動二輪車後部の外観を損なうことなく容易に配置することができる。また、ライセンスランプバルブの交換の作業性を損なうことなく、キーシリンダに対する悪戯やシートロックの不正解除等を防止して自動二輪車の防犯性を高めることができる。
【図面の簡単な説明】
【００２９】
【図１】本発明の実施形態によるリアフェンダ構造体を備えた自動二輪車を示す全体外観図である。
【図２】本発明の実施形態によるリアフェンダ構造体を含む自動二輪車後部の構成を示す外観図である。
【図３】自動二輪車の後方から見た本発明の実施形態によるリアフェンダ構造体を示す外観図である。
【図４】本発明の実施形態によるリアフェンダ構造体を示す分解斜視図である。
【図５】図３中の矢示Ｖ−Ｖ方向から見た本発明の実施形態によるリアフェンダ構造体を示す断面図である。
【図６】図２中の矢示ＶＩ−ＶＩ方向から見たキーシリンダ周辺の構成を示す断面図である。
【図７】図２中の矢示ＶＩＩ−ＶＩＩ方向から見たキーシリンダ周辺の構成を示す断面図である。
【図８】本発明の実施形態によるリアフェンダ構造体におけるカバー部を示す斜視図である。
【図９】下方から見た自動二輪車後部において、リアフェンダフロントを取り外した状態を示す斜視図である。
【図１０】下方から見た自動二輪車後部において、リアフェンダフロントを取り付けた状態を示す斜視図である。
【発明を実施するための形態】
【００３０】
以下、本発明の実施の形態について図面を参照しながら説明する。図１は、本発明の実施形態によるリアフェンダ構造体を備えた自動二輪車を示している。図２は当該リアフェンダ構造体を含む自動二輪車の後部を示し、図３は自動二輪車の後方から見た当該リアフェンダ構造体を示している。図４は当該リアフェンダ構造体を一部分解した状態を示し、図５は図３中の矢示Ｖ−Ｖ方向から見たリアフェンダ構造体の断面を示している。
【００３１】
図１に示すように、本発明の実施形態によるリアフェンダ構造体２１は、自動二輪車１の後部に設けられている。リアフェンダ構造体２１は、図２に示すように、リアフェンダ２２、リアコンビネーションランプ５１、ターンシグナルランプ５６、ライセンスランプ６１、およびシートロック解除用のキーシリンダ７１から大略構成されている。
【００３２】
リアフェンダ２２は、図１に示すように、シート３の下方かつ後輪４の上方に位置し、車体フレーム（図示せず）に固定され、後輪４をその上方から後方にかけて覆っている。リアフェンダ２２は例えば樹脂材料により形成されている。リアフェンダ２２の左右方向両側には、フレームカバー５がそれぞれ設けられている。フレームカバー５の外面は、例えば滑らかに湾曲しながら側方に突出する形状を有し、自動二輪車１の後部の良好な外観の形成に貢献している。
【００３３】
また、図４に示すように、リアフェンダ２２は、後輪４の前方側を覆うリアフェンダフロント２３と、後輪４の後方側を覆うリアフェンダリア２４とに分割され、リアフェンダ２２は、リアフェンダフロント２３とリアフェンダリア２４とを組み合わせることにより形成されている。
【００３４】
また、図２に示すように、リアフェンダリア２４の後端部上段にはリアコンビネーションランプ取付部２５が形成され、リアコンビネーションランプ取付部２５にはリアコンビネーションランプ５１が取り付けられている。具体的には、図５に示すように、リアコンビネーションランプ取付部２５の内部にはリアコンビネーションランプ収容空間２６が形成され、リアコンビネーションランプ収容空間２６内に、リアコンビネーションランプハウジング５２が取り付けられ、このリアコンビネーションランプハウジング５２にリアコンビネーションランプバルブ５３が取り付けられている。さらに、リアコンビネーションランプ取付部２５の後端側にはリアコンビネーションランプレンズ５４が取り付けられている。また、リアコンビネーションランプバルブ５３には、リアコンビネーションランプバルブ５３に電力を供給する電気ケーブル５５が接続されている。
【００３５】
また、図３に示すように、リアコンビネーションランプ取付部２５の左右方向両側にはターンシグナルランプ５６がそれぞれ取り付けられている。
【００３６】
また、図２に示すように、リアフェンダリア２４の後端部下段にはライセンスランプ取付部２７が形成され、ライセンスランプ取付部２７にはライセンスランプ６１が取り付けられている。具体的には、図５に示すように、ライセンスランプ取付部２７の内部にはライセンスランプ収容空間２８が形成され、ライセンスランプ収容空間２８内にはライセンスランプバルブ６２が取り付けられている。また、ライセンスランプ取付部２７の後端側にはライセンスランプハウジング６３が取り付けられている。さらに、ライセンスランプバルブ６２には、ライセンスランプバルブ６２に電力を供給する電気ケーブル６４が接続されている。
【００３７】
ライセンスランプ取付部２７は、図２および図３に示すように、リアコンビネーションランプ取付部２５から後ろ下方向にそれぞれ延在する左側平板部２９（支持板部）、右側平板部３０および上側平板部３１を有し、ライセンスランプ収容空間２８は左側平板部２９、右側平板部３０および上側平板部３１により包囲されている（図５参照）。また、左側平板部２９の外面は、図３に示すように、その中央部とその周囲を含む大部分が平坦であり、左側平板部２９の内面も同様に平坦である。右側平板部３０の外面および内面もそれぞれ同様に平坦である。上側平板部３１の外面および内面もそれぞれ同様に平坦である。
【００３８】
また、リアフェンダリア２４において、ライセンスランプ取付部２７の左側平板部２９にはキーシリンダ取付部３２が形成され、キーシリンダ取付部３２には、シート３のロックを解除するためのキーシリンダ７１が取り付けられている。キーシリンダ取付部３２は、平坦で互いに平行な外面および内面を有する左側平板部２９のほぼ中央部または中央部よりやや下側の位置に装着孔３３（図６参照）を穿設することにより形成されている。また、左側平板部２９のうちキーシリンダ取付部３２となった部分、すなわち装着孔３３の周囲の領域の外面および内面は、水平面に対し垂直な方向に広がっている。また、装着孔３３は、当該領域の外面と直交する方向に穿設されている。
【００３９】
また、キーシリンダ７１にはワイヤ７２が接続されている。ワイヤ７２は、シート３を車体フレーム側に掛け止めするロック機構（図示せず）とキーシリンダ７１とを接続している。利用者がシートロックを解除するためにキーシリンダ７１にキーを差し込んで回したときに、キーシリンダ７１の回動がワイヤ７２を介してロック機構に伝達され、ロック機構のロックが解除される。
【００４０】
ここで、図６は、図２中の矢示ＶＩ−ＶＩ方向から見たキーシリンダ周辺の構成を示し、図７は、図２中の矢示ＶＩＩ−ＶＩＩ方向から見たキーシリンダ周辺の構成を示している。
【００４１】
図６に示すように、キーシリンダ７１はシリンダ本体７３を備え、シリンダ本体７３の一端側には拡径部７４が形成されている。そして、拡径部７４の中央部にキー差込口７５が形成されている。また、シリンダ本体７３において、拡径部７４の他側であって拡径部７４に近接する位置には、シリンダ本体７３の軸（回転軸Ｘ−Ｘ）を挟んで両側に、上下方向に延びる溝部７６がそれぞれ形成されている。
【００４２】
キーシリンダ７１はシリンダ本体７３を装着孔３３に挿入することにより、キーシリンダ７１の軸方向一側が左側平板部２９の外面側に位置し、キーシリンダ７１の軸方向他側がライセンスランプ収容空間２８内に位置するようにキーシリンダ取付部３２に取り付けられている。具体的には、キーシリンダ７１は次のような手順でキーシリンダ取付部３２に取り付けられる。すなわち、まず、シリンダ本体７３の軸方向他側を、左側平板部２９の外側側方からライセンスランプ収容空間２８内へ左から右に向けて装着孔３３に差し込む。次に、拡径部７４の裏面が左側平板部２９の外面に接触するまでシリンダ本体７３をライセンスランプ収容空間２８内へ押し込む。次に、図７に示すように、ライセンスランプ収容空間２８内に入り込んだシリンダ本体７３の各溝部７６に、固定部材としてのクリッププレート７７を下から上へ挿入する。これにより、キーシリンダ７１が図６に示すように装着孔３３周りに固定される。
【００４３】
なお、このようなキーシリンダ７１の取付作業は、リアフェンダリア２４とリアフェンダフロント２３とを組み合わせる前の段階で行う。図６および図７は、リアフェンダリア２４とリアフェンダフロント２３とを組み合わせた後の状態を示している。リアフェンダリア２４とリアフェンダフロント２３とを組み合わせた後では、シリンダ本体７３の下方に規制部４６が配置されるため、クリッププレート７７を各溝部７６に挿入することができない。しかしながら、リアフェンダリア２４とリアフェンダフロント２３とを組み合わせる前の段階では、規制部４６がないので、クリッププレート７７を各溝部７６に挿入することができる。
【００４４】
このように、リアフェンダ構造体２１によれば、平坦であり、水平面に対し垂直な方向に広がる外面および内面を有するキーシリンダ取付部３２にキーシリンダ７１を取り付ける構成であるため、キーシリンダ７１を、その回動軸が水平となるように容易に配置することができ、良好なキー操作性を実現することができる。また、キーシリンダ７１を取り付ける位置が、リアフェンダリア２４のライセンスランプ取付部２７の左側部であるので、水平面に対し垂直な方向に広がる外面を有するキーシリンダ取付部３２を形成しても、自動二輪車１の後部の外観を損なうことがない。また、平坦な外面を有するキーシリンダ取付部３２にキーシリンダ７１を取り付けるので、リアフェンダ２２に不自然な突出や陥没が形成されることがなく、自動二輪車１の後部の外観を良くすることができる。
【００４５】
図８はリアフェンダフロント２３に形成されたカバー部を示している。図９、図１０はいずれも、下方から見た自動二輪車１の後部を示し、これらのうち図９はリアフェンダフロント２３を取り外した状態を示し、図１０はリアフェンダフロントを取り付けた状態を示している。
【００４６】
図８に示すように、リアフェンダフロント２３の後端部には、キーシリンダ取付部３２に取り付けられたキーシリンダ７１の軸方向他側からリアコンビネーションランプ収容空間２６の下方にかけての領域を覆うカバー部４１が形成されている。カバー部４１は、図５に示すように、リアフェンダフロント２３の後端部からライセンスランプ収容空間２８内まで延びている。カバー部４１は、例えば、樹脂成形により、リアフェンダフロント２３と一体的に形成されている。このように、カバー部４１をリアフェンダフロント２３に一体的に形成することにより、キーシリンダ７１の軸方向他側を覆う専用のカバーを別途設ける必要がない。これにより、部品点数を削減することができる。
【００４７】
また、カバー部４１は、キーシリンダ７１の軸方向他側を覆う第1の遮蔽板部としての左側遮蔽板部４２と、リアコンビネーションランプ収容空間２６の下方を覆う第２の遮蔽板部としての上側遮蔽板部４３とを備えている。図９に示すリアフェンダフロント２３の取付前の状態と、図１０に示すリアフェンダフロント２３の取付後の状態とを比較すると分かる通り、リアフェンダフロント２３を取り付けることにより、キーシリンダ７１は左側遮蔽板部４２に覆われ、同時に、リアコンビネーションランプ収容空間２６は上側遮蔽板部４３により閉塞される。このように、カバー部４１によれば、キーシリンダ７１とリアコンビネーションランプ収容空間２６の下方とを単一の部材により同時に覆うことができ、部品点数の削減および自動二輪車１の組立作業の簡略化を図ることができる。
【００４８】
もっとも、図７に示すように、カバー部４１は、キーシリンダ７１を隙間なく完全に覆ってはいない。しかしながら、カバー部４１は、キーシリンダ７１を外側から視認することを困難にし、リアフェンダ２２の下方からキーシリンダ７１に手で触れることを不可能にする程度にキーシリンダ７１を覆っている。したがって、キーシリンダ７１に対する悪戯や、シートロックの不正解錠を十分に防ぐことができる。また、図５に示すように、カバー部４１は、リアコンビネーションランプ収容空間２６の下方を隙間なく完全に覆ってはいない。しかしながら、カバー部４１は、リアコンビネーションランプ収容空間２６内を外側から視認することを困難にし、リアフェンダ２２の下方から当該空間２６内に手を差し入れることを不可能にする程度に覆っている。したがって、リアコンビネーションランプ５１に対する悪戯を十分に防ぐことができる。
【００４９】
また、カバー部４１には、ライセンスランプ収容空間２８を外部と連通させ、ライセンスランプ取付部２７に取り付けられたライセンスランプバルブ６２の着脱を可能にする開口部４４が形成されている。すなわち、カバー部４１の後端側は板材等により遮蔽されていない。これにより、キーシリンダ７１を覆い、かつリアコンビネーションランプ収容空間２６の下方を閉塞しつつ、ライセンスランプバルブ６２の交換の良好な作業性を実現することができる。さらに、上側遮蔽板部４３には、当該上側遮蔽板部４３の後端部の一部を切除することにより、開口部４４の開口面積を拡大させる切除部４５が形成されている。これにより、ライセンスランプバルブ６２の交換のより一層良好な作業性を実現することができる。
【００５０】
また、カバー部４１の左側遮蔽板部４２の下端側には、キーシリンダ７１をキーシリンダ取付部３２の装着孔３３周りに固定しているクリッププレート７７が下方に移動するのを規制する規制部４６が形成されている。すなわち、カバー部４１の左側遮蔽板部４２の下端側は、図７に示すように、左方に屈曲してから左方に延び、その後上方に屈曲してから上方に延び、当該上方に延びた部位の上端部がシリンダ本体７３の各溝部７６に挿入されたクリッププレート７７の下端部に近接した位置に達している。このため、リアフェンダリア２４とリアフェンダフロント２３とが組み合わされている限り、クリッププレート７７の下方への移動が規制部４６に規制されるので、クリッププレート７７を下方へ移動させてシリンダ本体７３から外すことはできない。これにより、リアフェンダリア２４とリアフェンダフロント２３とを組み合わせる前の段階では、シリンダ本体７３の各溝部７６にクリッププレート７７を容易に挿入することができ、組立作業の簡単化を実現することができる一方、リアフェンダリア２４とリアフェンダフロント２３とを組み合わせた後は、クリッププレート７７がシリンダ本体７３から取り外されることを防止でき、悪戯やシートロックの不正解錠の目的で、キーシリンダ７１がリアフェンダリア２４から取り外されることを防ぐことができる。
【００５１】
また、カバー部４１の上側遮蔽板部４３の上面（図８参照）、およびライセンスランプ取付部２７の左側平板部２９の内面（図５参照）には発泡クッション４７、４８が取り付けられている。発泡クッション４７、４８により泥水等の浸入を抑制することができる。
【００５２】
なお、上述した実施形態では、キーシリンダ取付部３２の外面および内面を水平面に対し垂直な方向に広がる面とする場合を例にあげたが、本発明はこれに限らない。例えば、キーシリンダ取付部３２の外面および内面を、外面が上に向くように上記垂直な方向に対して傾斜させてもよい。この場合、キーシリンダ７１は、その回転軸が傾斜し、キー差込口７５が斜め上に向くように配置されるが、これでも良好なキー操作性を実現することができる。
【００５３】
また、本発明は、請求の範囲および明細書全体から読み取ることのできる発明の要旨または思想に反しない範囲で適宜変更可能であり、そのような変更を伴うリアフェンダ構造体もまた本発明の技術思想に含まれる。
【符号の説明】
【００５４】
１  自動二輪車
４  後輪
２１  リアフェンダ構造体
２２  リアフェンダ
２３  リアフェンダフロント
２４  リアフェンダリア
２５  リアコンビネーションランプ取付部
２６  リアコンビネーションランプ収容空間
２７  ライセンスランプ取付部
２８  ライセンスランプ収容空間
２９  左側平板部（支持板部）
３２  キーシリンダ取付部
３３  装着孔
４１  カバー部
４２  左側遮蔽板部（第1の遮蔽板部）
４３  上側遮蔽板部（第２の遮蔽板部）
４４  開口部
４５  切除部
４６  規制部
５１  リアコンビネーションランプ
６１  ライセンスランプ
７１  キーシリンダ
７６  溝部
７７  クリッププレート（固定部材）
【図１】
0005630366.tif 000002
【図２】
0005630366.tif 000003
【図３】
0005630366.tif 000004
【図４】
0005630366.tif 000005
【図５】
0005630366.tif 000006
【図６】
0005630366.tif 000007
【図７】
0005630366.tif 000008
【図８】
0005630366.tif 000009
【図９】
0005630366.tif 000010
【図１０】
0005630366.tif 000011